(57)【要約】【課題】内容物を注出する際、脈動が発生しにくく、首折れすることのないスパウト付きパウチ容器を提供する。【解決手段】パウチ１０に取り付けられるスパウトは、パウチ１０にヒートシールされる装着部２２及びこの装着部２２に連設された口部２３を有する本体部２１と、この本体部２１における口部２３を開閉するスクリューキャップとを備えている。本体部２１には、内容物の流出路２１ａが形成されており、この流出路２１ａを挟んでパウチ１０の厚み方向の両側に、装着部２２及び口部２３を貫通する連通路２１ｂがそれぞれ形成されている。装着部２２には、流出路２１ａを挟んでパウチ１０の厚み方向の両側に、パウチ１０内にそれぞれ張り出す一対の楕円筒状の張出部材２４が連設されており、各張出部材２４は、それぞれの内部空間が各連通路２１ｂに連通していると共にそれぞれの先端側がパウチ１０の厚み方向の外側に広がるような状態で湾曲している。【選択図】        図４
2007320626.tif 000002
【特許請求の範囲】
【請求項１】
スパウトがパウチに装着されたスパウト付きパウチ容器であって、
前記スパウトは、
前記パウチ内に充填された内容物の流出路と、
前記流出路を挟んで前記パウチの厚み方向の両側にそれぞれ形成された、前記パウチ内と外部とを連通する連通路と、
前記流出路を挟んで前記パウチの厚み方向の両側部において、前記パウチ内にそれぞれ張り出す張出部材と
を有していることを特徴とするスパウト付きパウチ容器。
【発明の詳細な説明】
【技術分野】
【０００１】
この発明は、例えば、ボトル容器に詰め替えるためのシャンプーやリンス等の液体商品を充填する容器に適したスパウト付きパウチ容器に関する。
【背景技術】
【０００２】
例えば、ボトル容器に詰め替えるためのシャンプー等の液体商品を充填するスパウト付きパウチ容器としては、図９に示すようなものがある。このスパウト付きパウチ容器５０は、同図（ａ）、（ｂ）に示すように、柔軟性シートによって袋状に形成されたボトムガセットタイプのパウチ５１と、このパウチ５１の上縁部に装着された、注口となる口部５２ａをスクリューキャップ５２ｃによって開閉することができるスパウト５２とを備えており、このスパウト５２は、図１０（ａ）、（ｂ）に示すように、パウチ５１の上縁部にヒートシールされる、口部５２ａが突設された平面舟形状の装着部５２ｂに、口部５２ａとパウチ５１内とを連通する、内容物である液体商品の流出路ＦＲが形成されている。
【０００３】
こういったスパウト付きパウチ容器５０に充填された詰替用の液体商品をボトル容器等に移し替える際は、図９（ｂ）に示すように、スパウト５２の口部５２ａを閉塞しているスクリューキャップ５２ｃを外し、図１１に示すように、容器全体を徐々に傾けながら、スパウト５２の口部５２ａをボトル容器６０の口部６１の上端縁に沿わせるようにして、液体商品をスパウト５２の口部５２ａからボトル容器６０の口部６１に注ぎ入れることになる。
【０００４】
【特許文献１】特開平０７−１８７２０２号公報
【発明の開示】
【発明が解決しようとする課題】
【０００５】
しかしながら、上述したスパウト付きパウチ容器５０では、内容物を注出する際、図１２に示すように、スパウト５２の口部５２ａが内容物によって塞がれてしまう。パウチ５１は柔軟性シートによって形成されているので、内容物の流出に伴ってある程度変形するが、注出量に変形が追いつかず、パウチ５１の内部と外部との間で圧力差が生じることになる。従って、パウチ５１から内容物をスムーズに流出させることができず、パウチ５１内からの内容物の流出とパウチ５１内への空気の進入とが交互に起こることによって、脈動が発生することになる。このため、パウチ５１から流出する内容物の流量が安定せず、内容物の詰替作業を円滑に行うことができないといった問題がある。
【０００６】
また、柔軟性シートによって形成されたパウチ５１は保形性が低いので、内容物を注出する際、図１３に示すように、スパウト５２の装着部付近でパウチ５１が折れ曲がる、所謂首折れが発生しやすく、これに伴って、スパウト５２におけるパウチ５１内に開放された内容物の導入口が閉塞気味になり、内容物を注出し難くなるといった問題もある。
【０００７】
そこで、この発明の課題は、内容物を注出する際、脈動が発生しにくく、首折れすることのないスパウト付きパウチ容器を提供することにある。
【課題を解決するための手段】
【０００８】
上記の課題を解決するため、請求項１にかかる発明は、スパウトがパウチに装着されたスパウト付きパウチ容器であって、前記スパウトは、前記パウチ内に充填された内容物の流出路と、前記流出路を挟んで前記パウチの厚み方向の両側にそれぞれ形成された、前記パウチ内と外部とを連通する連通路と、前記流出路を挟んで前記パウチの厚み方向の両側部において、前記パウチ内にそれぞれ張り出す張出部材とを有していることを特徴とするスパウト付きパウチ容器を提供するものである。
【発明の効果】
【０００９】
以上のように、請求項１にかかる発明のスパウト付きパウチ容器では、スパウトが、内容物の流出路を挟んでパウチの厚み方向の両側にそれぞれ形成された、パウチ内と外部とを連通する連通路を有しているので、パウチの底部を徐々に持ち上げるようにして、パウチの厚み方向が上下方向を向くような状態で、内容物をスパウトから注出すると、内容物の流出路の上側に位置している一方の連通路から空気がパウチ内に導入され、流出路からは内容物だけが流出することになるので、脈動が発生しにくく、内容物の詰替作業を円滑に行うことができる。
【００１０】
また、スパウトは、流出路を挟んでパウチの厚み方向の両側部において、パウチ内にそれぞれ張り出す張出部材を有しているので、内容物を注出する際、首折れすることがなく、内容物の注出量が低下することもない。
【発明を実施するための最良の形態】
【００１１】
以下、実施の形態について図面を参照して説明する。図１は、ポンプ式のボトル容器に詰め替えるためのシャンプー（以下、内容物という。）が充填されるスパウト付きパウチ容器１を示しており、このスパウト付きパウチ容器１は、同図（ａ）、（ｂ）に示すように、ポリエチレンやポリプロピレン等の熱接着性を有する合成樹脂フィルムの外面に、ガスバリア性シート等を積層した二軸延伸ポリアミドフィルムや二軸延伸ポリエステルフィルム等をラミネートした厚さ８０〜２００μｍ程度の柔軟性シートによって形成された、扁平状態に折り畳み可能なパウチ１０と、このパウチ１０に取り付けられる熱接着性樹脂によって形成されたスパウト２０とから構成されている。
【００１２】
前記パウチ１０は、同図（ｂ）に示すように、表裏一対の外装シート１２、１３と、この外装シート１２、１３の下端部において両者の間に折り込まれるガセットシート１５とから構成されており、外装シート１２、１３の上縁部及び両側縁部が相互にヒートシールされることによって胴部１１が形成されると共に、外装シート１２、１３間に折り込まれたガセットシート１５の周縁を外装シート１２、１３の内面にヒートシールすることによって胴部１１の下端開口部を閉塞するボトムガセット部１４が形成されている。
【００１３】
前記スパウト２０は、ポリエチレンやポリプロピレン等の熱接着性樹脂の成形物からなり、図１（ｂ）及び図２（ａ）〜（ｃ）に示すように、外装シート１２、１３の上端縁に挟み込まれた状態で外装シート１２、１３にヒートシールされる平面舟形状の装着部２２及びこの装着部２２に連設された、パウチ１０の外側に突出する口部２３を有する本体部２１と、この本体部２１における口部２３を開閉するスクリューキャップ２５とを備えている。
【００１４】
前記本体部２１には、図３（ａ）、（ｂ）に示すように、装着部２２及び口部２３を貫通する内容物の流出路２１ａが形成されており、この流出路２１ａを挟んでパウチ１０の厚み方向の両側には、装着部２２及び口部２３を貫通する小径の連通路２１ｂ、２１ｂがそれぞれ形成されている。
【００１５】
また、本体部２１の装着部２２には、図２（ａ）〜（ｃ）及び図３（ａ）、（ｂ）に示すように、流出路２１ａを挟んでパウチ１０の厚み方向の両側に、パウチ１０内にそれぞれ張り出す一対の楕円筒状の張出部材２４、２４が連設されており、各張出部材２４、２４は、それぞれの内部空間が各連通路２１ｂ、２１ｂに連通していると共に、それぞれの先端側がパウチ１０の厚み方向の外側に広がるような状態で湾曲している。従って、本体部２１に形成された連通路２１ｂ、２１ｂは、この張出部材２４、２４を介して、パウチ１０内と外部とを連通することになる。
【００１６】
以上のように、このスパウト付きパウチ容器１では、スパウト２０の本体部２１が、内容物の流出路２１ａを挟んでパウチ１０の厚み方向の両側にそれぞれ形成された、パウチ１０内と外部とを連通する連通路２１ｂ、２１ｂを有しているので、パウチ１０の底部を徐々に持ち上げるようにして、パウチ１０の厚み方向が上下方向を向くような状態で、内容物をスパウト２０から注出すると、図４に示すように、内容物の流出路２１ａの上側に位置している一方の連通路２１ｂから空気がパウチ１０内に導入され、流出路２１ａからは内容物だけが流出することになるので、脈動が発生しにくく、内容物の詰替作業を円滑に行うことができる。このとき、流出路２１ａの下側に位置している他方の連通路２１ｂは、内容物の流出路として機能することになる。
【００１７】
また、スパウト２０の本体部２１が、流出路２１ａを挟んでパウチ１０の厚み方向の両側部においてパウチ１０内にそれぞれ張り出す張出部材２４、２４を有しており、各張出部材２４、２４は、それぞれの先端側がパウチ１０の厚み方向の外側に広がるような状態で湾曲しているので、同図に示すように、パウチ１０における装着部付近の外装シート１２、１３が張出部材２４、２４によって確実に支持され、内容物を注出する際に、首折れすることがない。従って、内容物の注出量が低下することがなく、常時、安定した状態で効率よく、内容物の詰替作業を行うことができる。
【００１８】
なお、上述した実施形態では、内部空間が各連通路２１ｂ、２１ｂに連通するように、筒状の張出部材２４、２４を装着部２２に連設し、各連通路２１ｂ、２１ｂが、張出部材２４、２４を介して、パウチ１０内と外部とを連通するようにしているが、これに限定されるものではなく、図５（ａ）〜（ｃ）及び図６（ａ）、（ｂ）に示すスパウト２０Ａのように、板状の張出部材２４Ａ、２４Ａを、装着部２２における連通孔２１ｂ、２１ｂと流出孔２１ａとの間に連設するようにしてもよい。
【００１９】
また、上述した各実施形態では、流出路２１ａを挟んでパウチ１０の厚み方向の両側に連通路２１ｂを１つづつ形成しているが、これに限定されるものではなく、図７に示すように、流出路２１ａの両側に、２つの連通路２１ａをそれぞれ形成したり、３つ以上の連通路を形成することも可能である。
【００２０】
また、上述した実施形態では、張出部材２４Ａ、２４Ａを、装着部２２における連通孔２１ｂ、２１ｂと流出孔２１ａとの間に連設しているが、これに限定されるものではなく、例えば、図８に示すように、張出部材２４Ｂ、２４Ｂを、装着部２２における連通孔２１ｂ、２１ｂの外側に連設することも可能である。
【００２１】
また、上述した各実施形態では、先端側がパウチ１０の厚み方向の外側に広がるような状態で湾曲している張出部材２４、２４Ａ、２４Ｂを採用しているが、これに限定されるものではなく、湾曲することなく、真っ直ぐに張り出すものであってもよい。また、張出部材はスパウトの本体部に一体成形されている必要はなく、スパウトの本体部とは別個に作成した張出部材をスパウトの本体部に装着（組み込む、組み立てる等）してもよい。
【００２２】
また、上述した実施形態では、ボトムガセットタイプのパウチにスパウトが装着されたスパウト付きパウチ容器について説明したが、これに限定されるものではなく、ボトムガセットタイプ以外の種々のパウチにスパウトが装着されたスパウト付きパウチ容器について本発明を適用することができることは言うまでもない。
【図面の簡単な説明】
【００２３】
【図１】（ａ）はこの発明にかかるスパウト付きパウチ容器の一実施形態を示す斜視図、（ｂ）は同上のスパウト付きパウチ容器を扁平に折り畳んだ状態を示す正面図である。
【図２】（ａ）、（ｂ）は同上のスパウト付きパウチ容器に採用されているスパウトを示す側面図、（ｃ）は同上のスパウトを示す底面図である。
【図３】（ａ）は図２（ａ）のＸ−Ｘ線に沿った断面図、（ｂ）は図２（ｂ）のＹ−Ｙ線に沿った断面図である。
【図４】同上のスパウト付きパウチ容器から内容物を注出している状態を示す部分断面図である。
【図５】（ａ）、（ｂ）は他の実施形態であるスパウト付きパウチ容器に採用されているスパウトを示す側面図、（ｃ）は同上のスパウトを示す底面図である。
【図６】（ａ）は図５（ａ）のＸ−Ｘ線に沿った断面図、（ｂ）は図５（ｂ）のＹ−Ｙ線に沿った断面図である。
【図７】他の実施形態であるスパウト付きパウチ容器に採用されているスパウトを示す横断面図である。
【図８】他の実施形態であるスパウト付きパウチ容器に採用されているスパウトを示す縦断面図である。
【図９】（ａ）は一般的なスパウト付きパウチ容器を示す斜視図、（ｂ）は同上のスパウト付きパウチ容器におけるスクリューキャップを外した状態を示す斜視図である。
【図１０】（ａ）は同上のスパウト付きパウチ容器に採用されているスパウトを示す側面図、（ｂ）は同上のスパウトを示す底面図である。
【図１１】同上のスパウト付きパウチ容器の使用方法を説明するための斜視図である。
【図１２】同上のスパウト付きパウチ容器の問題点を説明するための断面図である。
【図１３】同上のスパウト付きパウチ容器の問題点を説明するための断面図である。
【符号の説明】
【００２４】
１  スパウト付きパウチ容器
１０  パウチ
１１  胴部
１２、１３  外装シート
１４  ボトムガセット部
１５  ガセットシート
２０、２０Ａ  スパウト
２１  本体部
２１ａ  流出路
２１ｂ  連通路
２２  装着部
２３  口部
２４、２４Ａ、２４Ｂ  張出部材
２５  スクリューキャップ
【図１】
2007320626.tif 000003
【図２】
2007320626.tif 000004
【図３】
2007320626.tif 000005
【図４】
2007320626.tif 000006
【図５】
2007320626.tif 000007
【図６】
2007320626.tif 000008
【図７】
2007320626.tif 000009
【図８】
2007320626.tif 000010
【図９】
2007320626.tif 000011
【図１０】
2007320626.tif 000012
【図１１】
2007320626.tif 000013
【図１２】
2007320626.tif 000014
【図１３】
2007320626.tif 000015